(57)【要約】【課題】見栄えや衛生面に優れた電子機器を提供する。【解決手段】本発明の一形態に係る電子機器１は、タッチモジュール３と、タッチモジュール３を覆う保護フィルム４と、タッチモジュール３を収容し、保護フィルム４をタッチモジュール３との間に介在させた状態で当該タッチモジュール３の周縁部を覆う枠部５ｆを有するハウジング５と、保護フィルム４とハウジング５の枠部５ｆとの隙間を塞ぐシール部材６と、を備え、ハウジング５の枠部５ｆは、シール部材６を収容する収容部５ｊを有し、ハウジング５の枠部５ｆにおける収容部５ｊより内側部分５ｋは、保護フィルム４に当接する。【選択図】図３
2018097059.tif 000002
【特許請求の範囲】
【請求項１】
タッチモジュールと、
前記タッチモジュールを覆う保護フィルムと、
前記タッチモジュールを収容し、前記保護フィルムを前記タッチモジュールとの間に介在させた状態で当該タッチモジュールの周縁部を覆う枠部を有するハウジングと、
前記保護フィルムと前記ハウジングの枠部との隙間を塞ぐシール部材と、を備え、
前記ハウジングの枠部は、前記シール部材を収容する収容部を有し、
前記ハウジングの枠部における前記収容部より内側部分は、前記保護フィルムに当接する、電子機器。
【請求項２】
前記収容部の深さは、前記シール部材の厚さと略等しい、請求項１に記載の電子機器。
【請求項３】
前記ハウジングの枠部における枠縁部のタッチモジュール側の角部に面取り部を備える、請求項１又は２に記載の電子機器。
【請求項４】
前記ハウジングの枠部における枠縁部のタッチモジュール側の角部に湾曲部を備える、請求項１又は２に記載の電子機器。
【請求項５】
前記保護フィルムの周縁部と前記タッチモジュールとの間に配置された弾性部材を備える、請求項１乃至４のいずれか１項に記載の電子機器。
【発明の詳細な説明】
【技術分野】
【０００１】
本発明は、電子機器に関する。
【背景技術】
【０００２】
近年、携帯端末などの電子機器は、図６に示すように、表示装置１０１上にタッチモジュール１０２を搭載していることが多い。このようなタッチモジュール１０２の表面は、保護フィルム１０３で保護されている。このとき、電子機器の内部に異物が侵入しないように、保護フィルム１０３とハウジング１０４の枠部１０４ａとの間にクッション部材１０５が介在されている（例えば、特許文献１を参照）。
【先行技術文献】
【特許文献】
【０００３】
【特許文献１】特開２０１３−７３５６４号公報
【発明の概要】
【発明が解決しようとする課題】
【０００４】
図６に示す電子機器においては、クッション部材の厚み分の隙間１０６が保護フィルム１０３とハウジング１０４の枠部１０４ａとの間に発生するため、電子機器の使用中に異物が隙間１０６に侵入して滞留し、見栄えや衛生面の悪化を招く課題を有する。
本発明の目的は、上述した課題のいずれかを解決する電子機器を提供することにある。
【課題を解決するための手段】
【０００５】
本発明の一形態に係る電子機器は、
タッチモジュールと、
前記タッチモジュールを覆う保護フィルムと、
前記タッチモジュールを収容し、前記保護フィルムを前記タッチモジュールとの間に介在させた状態で当該タッチモジュールの周縁部を覆う枠部を有するハウジングと、
前記保護フィルムと前記ハウジングの枠部との隙間を塞ぐシール部材と、を備え、
前記ハウジングの枠部は、前記シール部材を収容する収容部を有し、
前記ハウジングの枠部における前記収容部より内側部分は、前記保護フィルムに当接する。
【発明の効果】
【０００６】
本発明によれば、見栄えや衛生面に優れた電子機器を提供することができる。
【図面の簡単な説明】
【０００７】
【図１】実施の形態１の電子機器を模式的に示す斜視図である。
【図２】図１のII−II矢視断面図である。
【図３】実施の形態１の電子機器におけるタッチモジュールの周縁部近傍を拡大して示す断面図である。
【図４】実施の形態２の電子機器におけるタッチモジュールの周縁部近傍を拡大して示す断面図である。
【図５】実施の形態３の電子機器におけるタッチモジュールの周縁部近傍を拡大して示す断面図である。
【図６】一般的な電子機器におけるタッチモジュールの周縁部近傍を拡大して示す断面図である。
【発明を実施するための形態】
【０００８】
以下、本発明を適用した具体的な実施の形態について、図面を参照しながら詳細に説明する。但し、本発明が以下の実施の形態に限定される訳ではない。また、説明を明確にするため、以下の記載及び図面は、適宜、簡略化されている。
【０００９】
＜実施の形態１＞
図１は、本実施の形態の電子機器を模式的に示す斜視図である。図２は、図１のII−II矢視断面図である。図３は、本実施の形態の電子機器におけるタッチモジュールの周縁部近傍を拡大して示す断面図である。
【００１０】
図１に示すように、本実施の形態の電子機器１は、携帯端末などの電子機器である。図２に示すように、電子機器１は、表示装置２、タッチモジュール３、保護フィルム４、ハウジング５及びシール部材６を備えている。なお、以下の説明では、説明を明確にするために、図２の状態を基準として上下方向などを規定しているが、電子機器１の使用形態によって上下方向などは、適宜、変更される。
【００１１】
表示装置２は、ＬＣＤ（liquid crystal display）や有機ＥＬ（Electroluminescence）ディスプレイなどを備えている。但し、表示装置２は、一般的な表示装置を用いることができる。
【００１２】
タッチモジュール３は、表示装置２を覆うように、表示装置２の上方に配置されており、表示装置２の表示画面が透過する。タッチモジュール３は、ユーザがタッチモジュール３の上面に接触した座標を検出する。タッチモジュール３は、例えば、感圧式タッチモジュールであり、図示を省略した第１の基板と第２の基板とが隙間を開けて配置されており、ユーザが第１の基板に接触して押し込んだ際に、第１の基板が第２の基板に接触した座標を検出する。但し、タッチモジュール３は、感圧式タッチモジュールに限らず、静電式タッチモジュールであってもよい。
【００１３】
保護フィルム４は、ユーザがタッチモジュール３に接触する際に変形可能であり、タッチモジュール３の反応に影響を与えない透明フィルムである。保護フィルム４は、タッチモジュール３の上面の略全域を覆う。
【００１４】
ハウジング５は、表示装置２、タッチモジュール３や電子機器１としての機能を実現するための基板などを収容している。ちなみに、本実施の形態のハウジング５の側面には、図１に示すように、電子機器１のＯＮ／ＯＦＦを切り替えたり、表示装置２の表示画像をスクロールしたり、するための操作部７が設けられてるが、本発明の本質的な要素ではないため、説明を省略する。
【００１５】
ハウジング５は、フレーム部５ａ、上蓋部５ｂ及び下蓋部５ｃを備えている。フレーム部５ａは、上面側に表示装置２やタッチモジュール３などを収容する第１の収容部５ｄを備え、下面側にバッテリ８などを収容する第２の収容部５ｅを備えている。
【００１６】
上蓋部５ｂは、タッチモジュール３の周縁部を覆う枠部５ｆ及び当該枠部５ｆと連続する側壁部５ｇを備えている。図１及び図２に示すように、枠部５ｆは、タッチモジュール３の周縁部（例えば、タッチモジュール３の四辺）を覆うように、側壁部５ｇの上端部から電子機器１の内方に向かって突出しており、内部にユーザがタッチモジュール３を操作するための操作窓５ｈを形成している。このような上蓋部５ｂは、例えば、図示を省略した係合部を介してフレーム部５ａと連結される。
【００１７】
下蓋部５ｃは、フレーム部５ａ及び上蓋部５ｂを下方から覆う。下蓋部５ｃは、例えば、フレーム部５ａの第２の収容部５ｅにバッテリ８を収容した状態で、ボルト９を介してフレーム部５ａと連結される。また、下蓋部５ｃは、上蓋部５ｂとで形成される空間内にフレーム部５ａを収容するように、図示を省略した係合部を介して上蓋部５ｂと連結される。
【００１８】
但し、ハウジング５の構成は、上述の限りでなく、タッチモジュール３を収容でき、且つタッチモジュール３の周縁部を覆う枠部を備えていればよい。
【００１９】
シール部材６は、保護フィルム４とハウジング５の枠部５ｆとの隙間を塞ぐ。つまり、シール部材６は、保護フィルム４とハウジング５の枠部５ｆとの間に配置されている。シール部材６は、例えば、保護フィルム４とハウジング５の枠部５ｆとを接着する両面接着テープであり、ハウジング５の操作窓５ｈを囲むように配置されている。但し、シール部材６は、保護フィルム４とハウジング５の枠部５ｆとの隙間を塞ぐことができる部材であればよく、例えば、弾性部材などでもよい。
【００２０】
このような電子機器１において、図３に示すように、ハウジング５の枠部５ｆは、シール部材６を収容する収容部５ｊを備えている。収容部５ｊは、ハウジング５における枠部５ｆの下面に形成された凹み部であり、シール部材６の厚さと略等しい深さ（上下方向の高さ）を有する。そのため、シール部材６は収容部５ｊから下方に略突出しない。
【００２１】
ハウジング５の枠部５ｆの下面における収容部５ｊより内側部分５ｋは、略平坦に形成されており、収容部５ｊの頂面に対して下方に当該収容部５ｊの深さ分で突出している。これにより、ハウジング５の枠部５ｆの下面における内側部分５ｋは、保護フィルム４に略面接触する。このとき、上述のように、シール部材６は収容部５ｊから下方に略突出しないので、ハウジング５の枠部５ｆの下面における内側部分５ｋを良好に保護フィルム４に略面接触させることができる。そのため、収容部５ｊの深さは、保護フィルム４とハウジング５の枠部５ｆとの間にシール部材６が配置された状態で、ハウジング５の枠部５ｆの下面における内側部分５ｋが保護フィルム４に略面接触するように設定されていればよい。なお、本実施の形態では、ハウジング５の枠部５ｆの下面における内側部分５ｋが保護フィルム４に略面接触する構成とされているが、少なくともハウジング５の枠部５ｆの下面における内側部分５ｋが保護フィルム４に当接していればよい。
【００２２】
このように本実施の形態の電子機器１は、シール部材６を収容部５ｊの内部に収容することで、ハウジング５の枠部５ｆの下面における内側部分５ｋを良好に保護フィルム４に当接させることができる。これにより、保護フィルム４とハウジング５の枠部５ｆとの間に隙間が発生することが殆どなく、電子機器１の使用中に保護フィルム４とハウジング５の枠部５ｆとの間に異物が侵入して滞留することを抑制できる。その結果、本実施の形態の電子機器１は、見栄えや衛生面に優れた構成とすることができる。しかも、シール部材６が両面接着テープの場合、異物がシール部材６に付着することを抑制できる。
【００２３】
ちなみに、保護フィルム４の周縁部とタッチモジュール３との間にスポンジなどの弾性部材１０を圧縮させた状態で配置することが好ましい。これにより、シール部材６が両面接着テープの場合、保護フィルム４を下方からシール部材６に押し付けて、保護フィルム４を確実にシール部材６に接着することができる。しかも、保護フィルム４とタッチモジュール３との間に異物が侵入することを抑制できる。
【００２４】
＜実施の形態２＞
図４は、本実施の形態の電子機器におけるタッチモジュールの周縁部近傍を拡大して示す断面図である。図４に示すように、本実施の形態の電子機器２１は、実施の形態１の電子機器１と略等しい構成とされているが、ハウジング５の枠部５ｆにおける枠縁部の下側角部に面取り部５ｌを備えている。面取り部５ｌは、電子機器２１の内方に向かうに従って高くなる傾斜面である。これにより、保護フィルム４が押し込まれた状態から復元する際に、保護フィルム４がハウジング５の枠部５ｆにおける枠縁部の下側角部に局所的に接触することを抑制できる。そのため、保護フィルム４の損傷を抑制できる。
【００２５】
＜実施の形態３＞
図５は、本実施の形態の電子機器におけるタッチモジュールの周縁部近傍を拡大して示す断面図である。図５に示すように、本実施の形態の電子機器３１は、実施の形態１の電子機器１と略等しい構成とされているが、ハウジング５の枠部５ｆにおける枠縁部の下側角部に湾曲部（即ち、Ｒ加工部）５ｍを備えている。湾曲部５ｍは、電子機器３１の内方に向かうに従って上方に反り上がる湾曲面である。これにより、保護フィルム４が押し込まれた状態から復元する際に、保護フィルム４がハウジング５の枠部５ｆにおける枠縁部の下側角部に局所的に接触することを抑制できる。そのため、保護フィルム４の損傷を抑制できる。
【００２６】
なお、本発明は上記実施の形態に限られたものではなく、趣旨を逸脱しない範囲で適宜変更することが可能である。例えば、タッチモジュールが搭載された電子機器であれば、本発明を適用でき、携帯端末に限らず、据え置き式の電子機器であっても適用できる。
【符号の説明】
【００２７】
１  電子機器
２  表示装置
３  タッチモジュール
４  保護フィルム
５  ハウジング
５ａ  フレーム部、５ｄ  第１の収容部、５ｅ  第２の収容部
５ｂ  上蓋部、５ｆ  枠部、５ｇ  側壁部、５ｈ  操作窓、５ｊ  収容部、５ｋ  ハウジングの枠部の下面における収容部より内側部分、５ｌ  面取り部、５ｍ  湾曲部
５ｃ  下蓋部
６  シール部材
７  操作部
８  バッテリ
９  ボルト
１０  弾性部材
２１、３１  電子機器
【図１】
2018097059.tif 000003
【図２】
2018097059.tif 000004
【図３】
2018097059.tif 000005
【図４】
2018097059.tif 000006
【図５】
2018097059.tif 000007
【図６】
2018097059.tif 000008